(57)【特許請求の範囲】
【請求項１】
フレキシブルディスクが挿入されるメインフレームと、該メインフレームの下面を覆うロアカバーとを有するフレキシブルディスクドライブに於いて、
前記メインフレームは、磁気ヘッドを保持するキャリッジアセンブリと、該キャリッジアセンブリを所定の半径方向に沿って摺動させるためのステッピングモータとを搭載すると共に、前記挿入されたフレキシブルディスクを回転駆動するためのスピンドルモータのうち、該スピンドルモータの回転中心部から前記フレキシブルディスクが挿入されるフロントパネル側とは反対側の実質的に半分部分のみを覆うように前記スピンドルモータを搭載し、
前記ロアカバーは、イジェクト機構のスライドガイド構造部分を有することを特徴とするフレキシブルディスクドライブ。
【請求項２】
前記イジェクト機構の１つとして、前記メインフレーム上に摺動可能に保持されるイジェクトプレートを更に有し、
前記ロアカバーは、主表面と、該主表面の両側端で互いに対向した一対の側壁とを有し、前記主表面は、その前面部で上方に盛り上がった盛り上がり部を持ち、
前記イジェクトプレートは、その前端に下方に突出する突起を持ち、該突起は僅かの隙間を空けて前記盛り上がり部上に配置される、請求項１に記載のフレキシブルディスクドライブ。
【請求項３】
前記ロアカバーの前記一対の側壁は、互いに内側へ切り起こして形成された一対のサイドストッパーを持つ、請求項２に記載のフレキシブルディスクドライブ。
【請求項４】
前記イジェクト機構の１つとして、前記メインフレーム上に摺動可能に保持されるイジェクトプレートを更に有し、
前記ロアカバーは、主表面と、該主表面の両側端で互いに対向した一対の側壁とを有し、前記主表面は、その前面部で上方に盛り上がった盛り上がり部を持ち、該盛り上がり部は、挿入方向に延在するＬ字形の開口を持ち、
前記イジェクトプレートは、その前端で下方に突出する突起を持ち、該突起は、前記盛り上がり部に当接する肩と、前記Ｌ字形の開口に挿入されるＬ字形のフック部とを持ち、
前記盛り上がり部と前記突起との組合せによって１つのスライドガイド構造部分が構成されている、請求項１に記載のフレキシブルディスクドライブ。
【請求項５】
前記イジェクト機構の１つとして、前記メインフレーム上に摺動可能に保持されるイジェクトプレートを更に有し、
前記イジェクトプレートは、その底面の前面部に挿入方向に延在するＬ字形の開口を持ち、
前記ロアカバーは、主表面と、該主表面の両側端で互いに対向した一対の側壁とを有し、前記主表面は、その前面部で上方に突出するように切り起こして形成された曲げ部を持ち、該曲げ部は、前記イジェクトプレートの下面に当接する肩と、前記Ｌ字形の開口に挿入されるＬ字形のフック部とを持ち、
前記Ｌ字形の開口と前記曲げ部との組合せによって１つのスライドガイド構造部分が構成されている、請求項１に記載のフレキシブルディスクドライブ。
【発明の詳細な説明】
【０００１】
【発明の属する技術分野】
本発明は、フレキシブルディスクドライブに関する。
【０００２】
【従来の技術】
周知のように、フレキシブルディスクドライブ（以下、「ＦＤＤ」とも略称する。）は、それに挿入されたフレキシブルディスク（以下、「ＦＤ」とも略称したり、「メディア」とも称する。）の円板状磁気記録媒体に対してデータの記録再生を行うための装置である。そして、このようなフレキシブルディスクドライブは、ラップトップ・パソコンやノート型パソコン、あるいはノート型ワープロ等の携帯型電子機器に搭載される。
【０００３】
この種のフレキシブルディスクドライブは、フレキシブルディスクの磁気記録媒体に対してデータの読出し／書込みを行う磁気ヘッドと、この磁気ヘッドをフレキシブルディスクに対して所定の半径方向に沿って移動可能に先端で支持するキャリッジアセンブリと、このキャリッジアセンブリを上記所定の半径方向に沿って移動させるステッピングモータと、フレキシブルディスクを保持しつつ磁気記録媒体を回転駆動するスピンドルモータ等のＤＤ（ダイレクトドライブ）モータとを有している。
【０００４】
このようなフレキシブルディスクドライブを制御するためのＦＤＤ制御装置は、従来から種々提案されている。例えば、特開平９−９７４９３号公報には、上記データの読出し／書込みを行うためのリード／ライト系（以下、Ｒ／Ｗ系と呼ぶ）制御回路と、ステッピングモータの駆動を制御するためのステッピングモータ系（以下、ＳＴＰ系と呼ぶ）制御回路と、フレキシブルディスクドライブ全体の動作を制御するためのコントロール系（以下、ＣＴＬ系と呼ぶ）制御回路とを１チップＩＣ内に組み込んだものが開示されている。この１チップＩＣは、一般に、多数のＭＯＳＦＥＴを集積したＭＯＳ・ＩＣで実現される。
【０００５】
上記ＦＤＤ制御装置は、この１チップＩＣの他に、スピンドルモータの駆動を制御するためのスピンドルモータ用ＩＣをも備えているが、このＩＣは多数のバイポーラトランジスタを集積したバイポーラＩＣで実現される。
【０００６】
ところで、ＦＤＤは客先によって仕様が異なる。例えば、仕様として、Drive Select０又は１、スペシャルシーク機能の有無、オートチャッキング機能の有無、Density Out 信号の論理の違い、モードSelect信号の論理の違い、１Ｍモード２５０kbps又は３００kbps等などがある。この仕様を満足するように、１チップＩＣを仕様毎におのおの開発すると、多種類の１チップＩＣを用意しておかなければならない。これを回避するために、１チップＩＣの内部に、あらかじめ全ての仕様を満足する全ての機能を盛り込んでおき、仕様に合わせて機能を選択するようにした、機能選択回路付き１チップＩＣも既に提案されている（例えば、特開平９−９７８３９号公報参照）。
【０００７】
一方、周知のように、ＦＤＤによって駆動されるＦＤは、磁気ヘッドでアクセスされる円板状磁気記録媒体を含み、この磁気記録媒体の表面上には、半径方向に沿ってデータを記録するための通路としての複数本のトラックが同心円状に形成されている。ＦＤのトラック本数は片面８０本であり、最外周トラックＴＲ00から最内周トラックＴＲ79まである。ここでは、最外周トラックＴＲ00を最端トラックと呼ぶことにする。
【０００８】
ＦＤをＦＤＤの磁気ヘッドでアクセスする場合、所望のトラック位置に磁気ヘッドを位置決めする必要がある。この為には、磁気ヘッドを先端で支持しているキャリッジアセンブリを位置決めすれば良い。キャリッジアセンブリの駆動手段としてステッピングモータを採用しているので、ＦＤＤではキャリッジアセンブリの位置決めを容易に行うことができる。それにも拘らず、ＦＤＤでは、それに挿入されたＦＤの磁気記録媒体の最端トラックＴＲ00の位置だけは検出する必要がある。この最端トラックＴＲ00の位置を検出する為に、キャリッジアセンブリにはその底部から下方に突出した遮断板が備えられ、このキャリッジアセンブリと対向するメインフレームに近接した基板にフォトインタラプタが取り付けられている（例えば、特開平９−９１８５９号公報参照）。すなわち、フォトインタラプタの光路を遮断板が遮断することにより、磁気ヘッドがＦＤの磁気記録媒体の最端トラックＴＲ00の位置にあることを検出することができる。このようなトラック位置検出機構は、この技術分野では「００センサ」と呼ばれる。
【０００９】
フレキシブルディスクを回転駆動するためにスピンドルモータ等のＤＤ（ダイレクトドライブ）モータが用いられるフレキシブルディスクドライブにおいては、ＤＤモータの外周の動作に基づいてインデックス信号を生成している。詳しくは、ロータを構成する円板状のケーシングの外周側面に、単極着磁された（例えば、Ｎ極のみが外側に露出している）磁石が配置されている。このような磁石はインデックス検知用磁石と呼ばれる。更に、ＤＤモータのステータ等が設けられるメインフレーム上には、所定の回路が形成されたプリント配線基板が配置されている。このプリント配線基板のロータの外側に当たる所定の位置には、ホール素子が設けられている。このホール素子はインデックス検知用ホール素子と呼ばれる。
【００１０】
周知のように、“ホール素子”とは、“ホール効果”を応用した半導体素子である。“ホール効果”とは、導体中において、ｘ方向に電流が流れているとき、その電流の流れる方向（ｘ方向）と直角なｚ方向に磁界を加えると、電流の方向（ｘ方向）と磁界の方向（ｚ方向）の双方に直交するｙ方向に起電力が発生する現象である。そのとき発生する電圧はホール電圧と呼ばれる。
【００１１】
尚、このホール素子は、インデックス検知用ホール素子としてばかりでなく、スピンドルモータのロータ位置検出用としても使用され、そのようなホール素子は位置検出用ホール素子と呼ばれる。このような位置検出用ホール素子を使用したスピンドルモータは“ホールモータ”とも呼ばれる。
【００１２】
このようなホールモータでは、３個の位置検出用ホール素子を必要とする。これら位置検出用ホール素子を省くために、本出願人は、ステータを構成する三相コイルの内、ハイインピーダンス状態のコイルに誘起される起電力の極性に基づいて、三相コイルに流す電流の状態を切り替えるようにしたものを提案した（例えば、特開２０００−２４５１２５号公報参照）。
【００１３】
また、前述したように、従来においては、インデックス検知用磁石として単極着磁されたものを用いていたが、これでは、安定したインデックス信号の生成タイミングを得ることが困難であった。そこで、本出願人は、安定したインデックス信号の生成タイミングを得るために、インデックス検知用磁石として２極着磁されたもの（すなわち、Ｓ極とＮ極とが並んで配置されたもの）を使用することを既に提案している（特開２００１−１９００５５号公報参照）。
【００１４】
従来のフレキシブルディスクドライブでは、メインフレームの他にメディアを回転駆動するスピンドルモータを搭載するためのモータフレームをも備えていた。これは、スピンドルモータの回転速度を検出するために周波数発生パターンをプリント配線基板上に形成する必要があり、このプリント配線基板をモータフレーム上に搭載する必要があったからである。そのため、従来のフレキシブルディスクドライブは部品点数が増加し、組立て工数も増加するという問題があった。この問題を解決するために、本出願人は、周波数発生パターンを使用することなく、スピンドルモータの回転速度を制御する方法を既に提案する（特開２００１−１７８１８５号公報参照）と共に、スピンドルモータを搭載するモータフレーム部分をメインフレームと一体に１ピースで構成したフレキシブルディスクドライブをも既に提案している（特開２００１−１８４７７４号公報参照）。
【００１５】
次に、図１及び図２を参照して、上記提案したフレーム構造を有する３．５インチ型フレキシブルディスクドライブについて説明する。図１は分解斜視図、図２は前面側からみた斜視図である。
【００１６】
図示のフレキシブルディスクドライブは、３．５インチ型フレキシブルディスク（後述する）を駆動するための装置である。挿入されたフレキシブルディスクは、図１及び図２の矢印Ａに示す方向からフレキシブルディスクドライブ中に挿入される。挿入されたフレキシブルディスクは、ディスクテーブル１１上に、その回転軸１１ａとフレキシブルディスクの中心軸とが一致した状態で保持される。後述するように、ディスクテーブル１１はメインフレーム１３の表面上で回転自在に支持されている。従って、ディスクテーブル１１の回転軸１１ａの軸方向Ｂは、メインフレーム１３の厚み方向と平行に成っている。ディスクテーブル１１は、後述するようにメインフレーム１３の凹部    に設けられたスピンドルモータ（ＤＤモータ）３００によって回転駆動され、これによってフレキシブルディスクの磁気記録媒体が回転する。また、メインフレーム１３の裏面には、多数の電子部品が搭載されたプリント配線基板（図示せず）が取り付けられている。
【００１７】
フレキシブルディスクドライブは、フレキシブルディスクの磁気記録媒体に対してデータの読出し／書込みを行うための上下一対の磁気ヘッド１４（上側磁気ヘッドのみを図示する）を備えている。磁気ヘッド１４は、フレキシブルディスクドライブの背面側に設けられたキャリッジアセンブリ１５にその先端で支持されている。すなわち、キャリッジアセンブリ１５は、上側磁気ヘッド１４を支持する上側キャリッジ１５Ｕと下側磁気ヘッドを支持する下側キャリッジ１５Ｌとを有する。キャリッジアセンブリ１５は、メインフレーム１３の表面上で後述するようにメインフレーム１３から離隔して配置されており、磁気ヘッド１４をその先端でフレキシブルディスクに対して所定の半径方向（図１及び図２の矢印Ｃで示す方向）に沿って移動可能に支持している。
【００１８】
また、メインフレーム１３の背面側の側壁１３１には、ステッピングモータ１６が固定されている。ステッピングモータ１６はキャリッジアセンブリ１５を所定の半径方向Ｃに沿ってリニアに駆動する。詳細に説明すると、ステッピングモータ１６は所定の半径方向Ｃと平行に延在する回転軸（駆動軸）１６１を有し、この回転軸１６１には雄ネジが切られている。この回転軸１６１の先端１６１ａは、メインフレーム１３の表面から切り起こしにより立設された曲げ部１３２に空けられた穴１３２ａを貫通し、スチールボール１６２が設けられる。この穴１３２ａとスチールボール１６２とによって、回転軸１６１は所定の半径方向Ｃと平行に延在するように規制され、かつその先端１６１ａは回転可能に保持される。
【００１９】
一方、キャリッジアアセンブリ１５は、下側キャリッジ１５Ｌから回転軸１６１まで延在したアーム１５１を有し、このアーム１５１の先端１５１ａは回転軸１６１の雄ネジの谷の部分に係合する。一方、このアーム１５１と実質的に平行に下側キャリッジ１５Ｌからバネ１５５が延在している。すなわち、アーム１５１とバネ１５５とによってステッピングモータ１６の回転軸１６１を挟んでいる。
【００２０】
従って、ステッピングモータ１６の回転軸１６１が回転すると、このアーム１５１の先端１５１ａが回転軸１６１の雄ネジの谷の部分に沿って動かされ、これによってキャリッジアセンブリ１５自体が所定の半径方向Ｃに沿って移動する。とにかく、ステッピングモータ１６はキャリッジアセンブリ１５を所定の半径方向Ｃに沿ってリニアに移動させるための駆動手段として働く。
【００２１】
ステッピングモータ１６の回転軸１６１がキャリッジアセンブリ１５の一方の側に設けられているので、キャリッジアセンブリ１５の一方の側はこの回転軸１６１によってメインフレーム１３から離隔した状態で、移動可能に支持される。しかしながら、この回転軸１６１による支持だけでは、キャリッジアセンブリ１５全体をメインフレ−ム１３の表面から離隔した配置することはできない。そのため、ガイドバー１７によって、キャリッジアセンブリ１５の他方の側でキャリッジアセンブリ１５を支持しながら案内する。ガイドバー１７はキャリッジアセンブリ１５を間に挟んで、ステッピングモータ１６の回転軸１６１とは逆側に設けられている。ガイドバー１７は所定の半径方向Ｃに対して平行に延在し、メインフレーム１３の表面上で一端１７１および他端１７２が後述するように固定され、キャリッジアセンブリ１５を所定の半径方向Ｃに沿って案内する。これによって、キャリッジアセンブリ１５全体がメインフレーム１３の表面から離隔して配置される。
【００２２】
尚、キャリッジアセンブリ１５からこのガイドバー１７側へフレキシブル・プリンテッド・サーキット（ＦＰＣ）１５２が延在しており、このＦＰＣ１５２はメインフレーム１３の裏面に取り付けられたメインプリント配線基板（後述する）に電気的に接続される。
【００２３】
ガイドバー１７はメインフレーム１３の表面でガイドバークランプ１８によって挟持されている。ガイドバークランプ１８はその中央部でメインフレーム１３の表面にバインド子ネジ１９によって固定されている。詳細に説明すると、ガイドバークランプ１８はガイドバー１７より少しだけ長い矩形固定部材１８０を有し、矩形固定部材１８０のほぼ中央にはバインド子ネジ１９のネジ軸１９０が通過できる程度の穴１８０ａが穿設されている。矩形固定部材１８０の一端１８０ｂおよび他端１８０ｃからは、それぞれ、ガイドバー１７の一端１７１および他端１７２を挟持するための一対のアーム１８１および１８２が延在している。
【００２４】
ガイドバークランプ１８は単にガイドバー１７を挟持しているだけなので、これだけではガイドバー１７をメインフレーム１３の表面に固定することはできない。このために、ガイドバー１７の両端１７１および１７２の位置を規制するための一対の位置決め部材が必要である。この一対の位置決め部材としては、メインフレーム１３の一部をメインフレーム１３の表面側に切り起こして形成した一対の曲げ部２０１および２０２を使用している。
【００２５】
キャリッジアセンブリ１５の下側キャリッジ１５Ｌは、キャリッジアセンブリ１５をガイドバー１７に沿って摺動可能に支持する支持枠としても働く。下側キャリッジ１５Ｌはガイドバー１７側へ突出した突出部（図示せず）を有し、この突出部中にガイドバー１７が摺動可能に嵌入されている。
【００２６】
フレキシブルディスクドライブは、イジェクトプレート２１とディスクホルダ２２とを更に有する。メインフレーム１３、イジェクトプレート２１、及びディスクホルダ２２は、金属板に打抜き加工、プレス加工、曲げ加工等を施すことにより形成される。
【００２７】
イジェクトプレート２１は、フレキシブルディスクの挿入方向Ａおよびその逆方向に沿ってスライド自在なように、メインフレーム１３上に備えられている。イジェクトプレート２１は、後述するように、フレキシブルディスクドライブの作動時に、ディスクホルダ２２と協働してフレキシブルディスクを保持する。また、イジェクトプレート２１は、フレキシブルディスクを挿入方向Ａに沿ってフレキシブルディスクドライブ内に挿入することを可能とし、或いはフレキシブルディスクを挿入方向Ａと逆方向に沿ってフレキシブルディスクドライブ内からの取り出すことを可能とするために、挿入方向Ａに沿ってフレキシブルディスクが摺動自在なようにフレキシブルディスクを保持する。イジェクトプレート２１には、互いに対向する一対の側壁２１０が形成されている。この両側壁２１０の各々には、一対のカム部２１１が形成されている。また、イジェクトプレート２１の底面には、両側壁２１０に沿って切抜き部２１２が形成され、イジェクトプレート２１の底面中央部には、ディスクテーブル１１を取り囲むように略Ｕ字状の切欠き部２１３が形成されている。更に、イジェクトプレート２１の下面には、ピン（後述する）が設けられており、このピンは、後述するイジェクトレバーの係止部と係合する。
【００２８】
ディスクホルダ２２は、イジェクトプレート２１上に配置されている。ディスクホルダ２２には、主表面２２０と、この主表面２２０の両側端で互いに対向した一対の側壁２２１が形成されている。この両側壁２２１には、それぞれ突片２２２（一方のみ図示）が形成されている。これらの突片２２２は、イジェクトプレート２１の切抜き部２１２を通じてメインフレーム１３の穴１３３内に挿通される。この突片２２２がメインフレーム１３の穴１３３内に挿通されることにより、ディスクホルダ２２は、メインフレーム１３に対する挿入方向Ａの位置が決められるのと同時に、ディスクホルダ２２は、ディスクテーブル１１の回転軸１１ａの軸方向Ｂに沿って往復動自在となる。また、両側壁２２１の各々には、一対のピン２２３が設けられている。このピン２２３は、イジェクトプレート２１の側壁２１０に形成されたカム部２１１内に挿通される。ディスクホルダ２２とイジェクトプレート２１との間には、イジェクトバネ２３が架設されている。
【００２９】
尚、本例の場合、ディスクホルダ２２に突片２２２を設け、メインフレーム１３に穴１３３を設けてあるが、これに限らず、メインフレームに突片を設け、ディスクホルダに穴を設けて構わない。
【００３０】
また、ディスクホルダ２２は、その挿入方向Ａの奥側中央部に、キャリッジアンセンブリ１５の上側キャリッッジ１５Ｕと対応する位置に、所定の半径方向Ｃに延在した略矩形状の開口部２２４が設けられている。この開口部２２４を囲むように、その周囲にディスクホルダ２２の主表面２２０から上方に盛り上がった、略Ｕ字形状の盛り上がり縁２２５が形成されている。一方、キャリッジアンセンブリ１５は、側方に延びる一対の側方アーム１５３を備え、この側方アーム１５３は盛り上がり縁２２５の上に位置する。後述するように、フレキシブルディスクがディスクホルダ２２からイジェクトされた状態では、この側方アーム１５３が盛り上がり縁２２５と係合し、これによって上下一対の磁気ヘッド１４同士が互いに離される。さらに、ディスクホルダ２２は、その挿入方向Ａの奥側で開口部２２４から右よりに、後述するイジェクトレバーのレバー部の回動を許すような形状の開口部２２６も有している。
【００３１】
メインフレーム１３上には、キャリッジアセンブリ１５の近傍に、イジェクトレバー２４が回動自在に設けられている。詳細に述べると、メインフレーム１３には、その表面から上方に延びるロッド状ピン１３４が立設している。イジェクトレバー２４は、ロッド状ピン１３４が嵌め込まれる筒状部２４０と、この筒状部２４０から径方向に延在するアーム部（レバー部）２４１と、このアーム部２４１の自由端に設けた上方に延在する突起部２４２と、アーム部２４１の自由端側から周方向に延びる円弧状の係止部２４３とを有している。イジェクトレバー２４には、筒状部２４０の周りにイジェクトレバーバネ２５が装着され、このイジェクトレバーバネ２５は、イジェクトレバー２４を図面上、反時計回りに付勢している。イジェクトレバー２４の突起部２４２は上記ディスクホルダ２２の開口部２２６に遊嵌されている。また、この突起部２４２は、後述するフレキシブルディスクのシャッタの右側上端縁と係合して、シャッタの開閉を制御する。尚、図２に示されるように、ロッド状ピン１３４の先端にはネジ２６が捩じ込まれており、これによってイジェクトレバー２４がロッド状ピン１３４から抜けるのを防止している。
【００３２】
また、メインフレーム１３の前端部には、フロントパネル２７が取り付けられている。フロントパネル２７は、フレキシブルディスクを出し入れする開口２７１と、この開口２７１を開閉する扉２７２とを備えている。このフロントパネル２７には、イジェクトボタン２８が前後方向移動可能に突設されている。イジェクトボタン２８は、イジェクトプレート２１の前端で前方に突き出ている突起部２１４に嵌め込まれている。
【００３３】
図３を参照して、図１および図２に示されたフレキシブルディスクドライブ（ＦＤＤ）によって駆動されるフレキシブルディスク（ＦＤ）について説明する。図示のフレキシブルディスク４０は、円板状の磁気記録媒体４１と、この磁気記録媒体４１を覆うシェル４２と、矢印Ｄ方向に摺動可能なシャッタ４３とを有する。シャッタ４３には窓４３ａが空けられている。シャッタ４３は矢印Ｄ方向とは逆方向に図示しないバネ部材によって付勢されている。シェル４２は、上記フレキシブルディスクドライブの磁気ヘッド１４での磁気記録媒体４１のアクセスを可能とする開口部４２ａを有する。この開口部４２ａは、フレキシブルディスク４０がフレキシブルディスクドライブ内に挿入されていない状態では、図３に示すように、シャッタ４３で覆われている。フレキシブルディスク４０がフレキシブルディスクドライブ内に挿入されるとき、シャッタ４３の右側縁上端４３ｂにイジェクトレバー２４の突起部２４２が係合して、シャッタ４３を矢印Ｄ方向へ摺動する。
【００３４】
シェル４２は、右上角部に、逆挿入（表裏及び挿入方向を逆にして挿入）防止用の面取り部４２ｂが形成されている。また、シェル４２には、その挿入方向Ａ後端の左側角部に書込み保護用穴４４が穿設されている。
【００３５】
上述したように、フレキシブルディスクドライブによって駆動されるフレキシブルディスク４０において、磁気ヘッド１４でアクセスされる磁気記録媒体４１の表面上には、データを記録するための通路としての複数本のトラック（図示せず）が半径方向に沿って同心円状に形成されている。フレキシブルディスク４０のトラック本数は片面８０本であり、最外周トラック（最端トラック）ＴＲ00から最内周トラックＴＲ79まである。
【００３６】
図１に加えて図４をも参照して、磁気記録媒体４１の最端トラックＴＲ00の位置を検出するためのトラック位置検出機構（００センサ）について説明する。
【００３７】
キャリッジアセンブリ１５において、下側キャリッジ１５Ｌにはその底部から下方に突出した遮断板１５４が備えられている。一方、このキャリッジアセンブリ１５と対向するメインフレーム１３の下面側にはメインプリント配線基板３０が配設されており、このメインプリント配線基板３０上にトラック位置検出機構（００センサ）として使用されるフォトインタラプタ３１が実装されている。このため、メインフレーム１３にはこのフォトインタラプタ３１を通すための穴１３ｂが穿設されている。
【００３８】
周知のように、フォトインタラプタ３１は、発光素子（図示せず）が内蔵された第１の突出部３１−１と、受光素子（図示せず）が内蔵された第２の突出部３１−２とを有する。第１の突出部３１−１と第２の突出部３１−２とは、図示の如く、対面するように配置されており、各々の対面する壁面には開口部（図示せず）が設けられている。これら２つの開口部を通して、発光素子から受光素子へ向かう光路が形成される。そして、上記遮断板１５４は、図示の如く、第１の突出部３１−１と第２の突出部３１−２との間の通路を通過する。
【００３９】
このような構成の００センサにおいて、フォトインタラプタ３１の光路を遮断板１５４が遮断することにより、磁気ヘッド１４がフレキシブルディスク４０の磁気記録媒体４１の最端トラックＴＲ00の位置にあることを検出することができる。
【００４０】
次に、図５を参照して、上記フレキシブルディスクドライブに使用されるＤＤモータ（スピンドルモータ）について説明する。
【００４１】
図示のＤＤモータ３００は、ロータ３１０と、このロータ３１０に組み合わされるステータ３２０とから成る。ロータ３１０は、円板状の金属製ケーシング３１１の中央部に断面略台形部３１２を上方に突出させて有する。断面略台形状部３１２の上面には、ディスクテーブル１１が固着されている。
【００４２】
ロータ３１０は、その中心に、ケーシング３１１とディスクテーブル１１とを貫通するように、金属製の回転軸１１ａが一体的に固着されている。すなわち、ケーシング３１１と回転軸１１ａは、ディスクテーブル１１をプラスチックマグネットにより射出成形で成形する時に一体的に組み付けられる。ケーシング３１１は、その周縁に下方に延びる筒状体３１４を有し、筒状体３１４の内側にリング状の永久磁石３１５が取り付けられている。
【００４３】
この永久磁石３１５は、周方向にメイン着磁されている。メイン着磁は駆動用磁化部とも呼ばれる。
【００４４】
また、図５に示されるように、筒状体３１４の外周壁の所定位置にインデックス検知用磁石３４０が張り付けられている。
【００４５】
断面略台形状部３１２の下面側にはアーム３１６が組み付けられ、このアーム３１６にはドライブローラ３１７が回転可能に設けられる。そして、断面略台形状部３１２及びディスクテーブル１１には略四角形の穴（図示せず）が設けられ、これらの穴を通してドライブローラ３１７がディスクテーブル１１の上方に突出するように配置される。フレキシブルディスクドライブ内に収容されたフレキシブルディスク４０（図３）は、ディスクテーブル１１上に載り、フレキシブルディスク４０のハブ（図示せず）に形成された穴にドライブローラ３１７が嵌入することで、その磁気記録媒体４１（図３）は回転駆動される。
【００４６】
一方、ステータ３２０は、後述するようにメインフレーム１３のモータフレーム部分１３−２に取り付けられる。ステータ３２０は、放射状に延びる複数の固定子コア３２１を有するコアアセンブリと、複数の固定子コア３２１のそれぞれに巻回した固定子コイル３２２と、回転軸１１ａを受けるためのセンターメタル（軸受け部）３２３とを有する。
【００４７】
次に、図６を参照して、図１および図２に示されたフレキシブルディスクドライブに使用されるフレーム構造（メインフレーム）１３について説明する。図６はメインフレーム（フレーム構造）１３を斜め側方下方から見た斜視図である。
【００４８】
図６から明らかなように、図示のメインフレーム（フレーム構造）１３は、フレキシブルディスク４０（図３）が挿入されるメインフレーム部分１３−１と、この挿入されたフレキシブルディスク４０を回転駆動するためのスピンドルモータ３００（後で図面を参照して詳述する。）を搭載するモータフレーム部分１３−２とを一体に１ピースで構成されている。つまり、メインフレーム１３はモータフレームを兼ねる。
【００４９】
ここで、モータフレーム部分１３−２は、絞り加工による絞り込みの形状を有している。これは、裏面（底面）側から見ると、モータフレーム部分１３−２が裏面（底面）側に突出した構造である。モータフレーム部分１３−２には、裏面（底面）側から見た場合に頂上面となる部分に、スピンドルモータ３００のリード線を引き出すための開口部１３−２ａが形成されている。
【００５０】
尚、図６に示されたモータフレーム部分１３−２の絞り込み形状は、円形をしているが、これに限定されず、深さや材質により多角形、楕円形であっても良い。また、フレーム部分１３−２の絞り込み形状における絞り逃げ形状も、図示のものに限定されず、種々の形状であっても良い。さらに、モータフレーム部分１３−２とメインフレーム１３−１との繋ぎ方も図示のものに限定されないのは勿論である。
【００５１】
図示のフレキシブルディスクドライブは、スピンドルモータ３００の駆動を制御するために必要な周波数発生パターンを削除すること、すなわち、それを形成するためのプリント配線基板を削除することにより、上述のような形状のメインフレーム１３の採用を可能にしている。また、周波数発生パターンを削除することにより、スピンドルモータ３００のロータの永久磁石（後述する）の底面部に施されているモータサーボ用着磁も不要となっている。その代わりに、図示のフレキシブルディスクドライブは、周波数発生パターンを用いた場合と等価な機能を発揮する電子的処理手段を備えている。なお、このような電子的処理手段の詳しい動作については、前述した特開２００１−１７８１８５号公報に開示されているので、ここではその説明を省略する。
【００５２】
図示のフレキシブルディスクドライブのメインプリント配線基板３０は、メインフレーム１３のメインフレーム部分１３−１の裏面側に取り付けられる。図６に示されるように、このメインプリント基板３０は、モータフレーム部分１３−２に重ならない形状を有している。そして、メインプリント配線基板３０は、その表面３０ａがメインフレーム部分１３−１の裏面から所定の距離だけ離れた状態で、その裏面３０ｂがモータフレーム部分１３−２の頂上面よりもメインフレーム部分１３−１の裏面に近く（低く）なるように、メインフレーム部分１３−１から切り起こされ、その先端部にネジ穴が形成された支持片（図示せず）にネジ３３で固定される。
【００５３】
図６に加えて図７をも参照して、メインフレーム１３の主表面側で、モータフレーム部分１３−２に搭載されたスピンドルモータ３００のステータ３２０に巻回されたコイルの先端部（リード線）は、モータフレーム部分１３−２に形成された開口部１３−２ａより背面側に引き出され、メインプリント配線基板３０の所定の端子に接続固定される。通常、リード線は、Ｕ相コイル、Ｖ相コイル、Ｗ相コイルの一端である３本のリード線と、これらコイルの他端を一つに束ねたリード線の、合計４本のリード線を含む。図示のフレキシブルディスクドライブは、これらのリード線６０をガイドすると共にインデックス検知用ホール素子５５が搭載された、サブプリント配線基板５０を備えている。
【００５４】
ここで、メインプリント配線基板３０は、スピンドルモータ３００の回転軸１１ａと直交する方向に延在している。これに対して、サブプリント配線基板５０は、スピンドルモータ３００のロータ３１０の外周側面と近接する位置で、スピンドルモータ３００の回転軸１１ａの平行な方向へ延在するように、メインプリント配線基板３０に取り付けられている。
【００５５】
そして、インデックス検知用ホール素子５５は、その磁界検知面がロータ３１０の外周側面と対向するように、サブプリント配線基板５０に取り付けられている。また、インデックス検知用ホール素子５５は、４本の端子（図示せず）を持ち、これら４本の端子は半田９７を介してメインプリント配線基板３０上の配線（図示せず）と電気的に接続される。尚、これらの半田５７は、このような電気的接続ばかりでなく、メインプリント配線基板３０とサブプリント配線基板５０との間を機械的に接合する役目をも果たしている。
【００５６】
尚、開口部１３−２ａから引き出されたリード線６０は、サブプリント配線基板５０の溝５６に掛けられて、その先端は、メインプリント配線基板３０の所定の端子３５に接続固定される。その様子を図７に示す。
【００５７】
次に、図８乃至図１０を参照して、上述した従来のフレキシブルディスクドライブのフレーム構造について説明する。図８は従来のフレキシブルディスクドライブに用いられるメインフレーム１３の斜視図である。図９は図８に図示したメインフレーム１３の下面（底面）を覆うロアカバー（下蓋）７０の斜視図である。図１０は図８に図示したメインフレーム１３と図９に図示したロアカバー７０とを組み合わせた状態の斜視図である。
【００５８】
従来のフレキシブルディスクドライブでは、メディア４０（図３）、キャリッジアセンブリ１５、Ｉ／Ｆコネクタ等のスペースの関係上、ある程度メインフレーム１３の大きさが制限されてしまう。すなわち、従来のメインフレーム１３には、キャリッジアセンブリ１５、ステッピングモータ１６、スピンドルモータ３００、イジェクト機構部、プリント配線基板、外観部品取付け構造などが全て搭載（取り付け）られている。このため、ベースとなるメインフレーム１３の形状（大きさ）は、フレキシブルディスクドライブ製品の全面をカバーする大きさが必要である。例えば、従来のメインフレーム１３の大きさ（寸法）は、縦×横×高さが約１５０ｍｍ×１００ｍｍ×２０ｍｍである。また、メインフレーム１３の板厚は１ｍｍである。
【００５９】
設計段階においてコストダウンを図ろう（ＶＥ化を行なう）とする場合に、材料の展開を小さくし材料費削減を行う。しかしながら、この場合に、どうしても上記部品のスペース的な問題より、メインフレーム１３を小さくすることができなかった。また、メディアチャッキング後のメディア４０の受けを、メインフレーム１３の形状で行なっている。その為、メインフレーム１３はある程度の大きさに制限されてしまう。
【００６０】
従来のロアカバー７０は専らメインフレーム１３の下面を覆うだけの機能しか持っていない。
【００６１】
尚、図１１に示されるように、メインフレーム１３は、その上にイジェクトプレート２１を摺動自在に設置するために、４箇所に凸部１３５を持っている。その為、衝撃等で、イジェクトプレート２１が撓ったり、変形することが起こらない。
【００６２】
更に、図１２に示されるように、メインフレーム１３には、イジェクト機構のスライド構造ガイドが全て盛り込まれている。換言すれば、メインフレーム１３は、摺動動作するイジェクトプレート２１の形状に合わせた構造のスライドガイド１３６を４箇所に持っている。
【００６３】
【発明が解決しようとする課題】
上述したように、従来のフレキシブルディスクドライブにおいては、メインフレーム１３は、全ての部品を搭載する関係上、その大きさが制限されてしまうという問題がある。
【００６４】
それ故に本発明の課題は、材料費を削減することが可能なフレキシブルディスクドライブを提供することにある。
【００６５】
本発明の他の課題は、製品のコストダウンを図る（ＶＥ化を行なう）ことが可能なフレキシブルディスクドライブを提供することにある。
【００６６】
本発明の更に他の課題は、製品の重量を削減する（軽量化を図る）ことが可能なフレキシブルディスクドライブを提供することにある。
【００６７】
【課題を解決するための手段】
本発明によれば、フレキシブルディスク（４０）が挿入されるメインフレーム（１３Ａ）と、このメインフレームの下面を覆うロアカバー（７０Ａ）とを有するフレキシブルディスクドライブに於いて、メインフレーム（１３Ａ）は、磁気ヘッド（１４）を保持するキャリッジアセンブリ（１５）と、このキャリッジアセンブリを所定の半径方向（Ｃ）に沿って摺動させるためのステッピングモータ（１６）とを搭載すると共に、挿入されたフレキシブルディスクを回転駆動するためのスピンドルモータ（３００）のうち、このスピンドルモータの回転中心部からフレキシブルディスクが挿入されるフロントパネル（２７）側とは反対側の実質的に半分部分のみを覆うようにスピンドルモータを搭載し、ロアカバー（７０Ａ）は、イジェクト機構のスライドガイド構造部分（７０４，７０５）を有することを特徴とするフレキシブルディスクドライブが得られる。
【００６９】
フレキシブルディスクドライブは、イジェクト機構の１つとして、メインフレーム上に摺動可能に保持されるイジェクトプレート（２１Ａ）を更に有する。ロアカバー（７０Ａ）は、主表面（７００）と、この主表面の両側端で互いに対向した一対の側壁（７０１）とを有する。主表面は、その前面部で上方に盛り上がった盛り上がり部（７０２）を持つのが好ましい。そして、イジェクトプレートは、その前端に下方に突出する突起（２１５）を持つことが好ましい。この場合、この突起は僅かの隙間を空けて盛り上がり部上に配置される。さらに、ロアカバーの一対の側壁は、互いに内側へ切り起こして形成された一対のサイドストッパー（７０３）を持つことが望ましい。
【００７０】
フレキシブルディスクドライブは、イジェクト機構の１つとして、メインフレーム上に摺動可能に保持されるイジェクトプレート（２１Ａ）を更に有する。ロアカバー（７０Ａ）は、主表面（７００）と、この主表面の両側端で互いに対向した一対の側壁（７０１）とを有する。主表面は、その前面部で上方に盛り上がった盛り上がり部（７０４）を持ち、この盛り上がり部は、挿入方向（Ａ）に延在するＬ字形の開口（７０４ａ）を持って良い。この場合、イジェクトプレートは、その前端で下方に突出する突起（２１６）を持ち、この突起は、盛り上がり部に当接する肩（２１６ａ）と、Ｌ字形の開口に挿入されるＬ字形のフック部（２１６ｂ）とを持って良い。この結果、盛り上がり部と突起との組合せによって１つのスライドガイド構造部分が構成される。
【００７１】
フレキシブルディスクドライブは、イジェクト機構の１つとして、メインフレーム上に摺動可能に保持されるイジェクトプレート（２１Ａ）を更に有する。イジェクトプレートは、その底面の前面部に挿入方向（Ａ）に延在するＬ字形の開口（２７１ａ）を持って良い。この場合、ロアカバー（７０Ａ）は、主表面（７００）と、この主表面の両側端で互いに対向した一対の側壁（７０１）とを有し、主表面は、その前面部で上方に突出するように切り起こして形成された曲げ部（７０５）を持ち、この曲げ部は、イジェクトプレートの下面に当接する肩（７０５ａ）と、Ｌ字形の開口に挿入されるＬ字形のフック部（７０５ｂ）とを持って良い。この結果、Ｌ字形の開口と曲げ部との組合せによって１つのスライドガイド構造部分が構成されてる。
【００７６】
尚、上記括弧内の参照符号は、理解を容易にするために付したものであり、一例にすぎず、これらに限定されないのは勿論である。
【００７７】
【発明の実施の形態】
以下、本発明の実施の形態について図面を参照して詳細に説明する。
【００７８】
図１３乃至図１５を参照して、本発明の一実施の形態に係るフレキシブルディスクドライブ用のフレーム構造について説明する。図１３は本実施の形態に係るフレキシブルディスクドライブに用いられるメインフレーム１３Ａの斜視図である。図１４は図１３に図示したメインフレーム１３Ａの下面（底面）を覆うロアカバー（下蓋）７０Ａの斜視図である。図１５は図１３に図示したメインフレーム１３Ａと図１４に図示したロアカバー７０Ａとを組み合わせた状態の斜視図である。
【００７９】
図１３から明らかなように、図示のメインフレーム１３Ａは、磁気ヘッド１４（図１）を保持するキャリッジアセンブリ１５（図１）と、このキャリッジアセンブリ１５を所定の半径方向Ｃに沿って摺動させるためのステッピングモータ１６（図１）と、挿入されたフレキシブルディスク４０（図３）を回転駆動するためのスピンドルモータ３００（図５）の実質的に半分に相当する部分のみとを搭載する寸法を有している。すなわち、メインフレーム１３Ａは、フレームの前面部が削除された構造を有している。
【００８０】
ここで、キャリッジアセンブリ１５やステッピングモータ１６、スピンドルモータ３００等は、フレキシブルディスクドライブを構成する部品の中で、その機能を発揮（特性を維持）する上で比較的高い精度が要求される部品（以下、「高精度部品」と呼ぶ。）である。本実施の形態では、このような高精度部品をメインフレーム１３Ａ上に搭載するようにしている。
【００８１】
このように、メインフレーム１３Ａは、フレームの前面部（モータフレーム部１３−２Ａの中心部よりフロントパネル２７側の部分）の構造が削除されているので、材料の展開が少なくなり、材料費の削減を図ることができる。図示のメインフレーム１３Ａの大きさ（寸法）は、縦（長さ）×横×高さがそれぞれ約８０ｍｍ×１００ｍｍ×１０ｍｍである。すなわち、従来のメインフレーム１３（図８）に比較して、本実施の形態に係るメインフレーム１３Ａ（図１３）は、長さ方向および高さ方向で約１／２の大きさ（寸法）になる。また、メインフレーム１３Ａの両サイドの高さを低くすると共に、その板厚を従来の１ｍｍより０．８ｍｍにすることにより、材料費を削減することができる。
【００８２】
メインフレーム１３Ａにおいてフレームの前面部の構造を削除したので、この部分を何らかの形（手段）で補う必要がある。そこで、本発明では、後述するように、ロアカバー７０Ａに、この削除したフレームの前面部に相当する機能をもつサブフレームとしての機能を持たせるようにした。尚、この削除したフレームの前面部に相当する機能にはイジェクト機構のスライドガイド構造部分などがある。このイジェクト機構のスライドガイド構造部分は、フレキシブルディスクドライブを構成する部品の中で、その機能を発揮（特性を維持）する上で比較的精度が低くても良い部品（以下、「低精度部品」と呼ぶ。）である。
【００８３】
図１６および図１７を参照して、メインフレーム１３Ａ上にはイジェクトプレート２１Ａが摺動可能に保持される。前述したように、メインフレーム１３Ａには、フレームの前面部の構造がないので、単に、イジェクトプレート２１Ａをメインフレーム１３Ａ上に設置しただけでは、衝撃等でのイジェクトプレート２１Ａの撓りや変形等の発生を防止することができない。そこで、本発明では、イジェクトプレート２１Ａが変形してイジェクト動作が不具合になるのを防止するための工夫を、以下に述べるように、サブフレームとして働くロアカバー７０Ａおよびイジェクトプレート２１Ａに施している。
【００８４】
詳述すると、ロアカバー７０Ａは、主表面７００と、この主表面の両側端で互いに対向した一対の側壁７０１とを有する。主表面７００は、その前面部で上方に盛り上がった第１の盛り上がり部７０２を持つ。一方、イジェクトプレート２１Ａは、その前端に下方に突出する第１の突起２１５を持つ。この第１の突起２１５は、図１８に示されるように、僅かの隙間を空けてロアカバー７０Ａの第１の盛り上がり部７０２上に配置される。換言すれば、イジェクトプレート２１Ａが摺動する間、第１の突起２１５は、第１の盛り上がり部７０２上を隙間を空けて移動することになる。一方、ロアカバー７０Ａの一対の側壁７０１は、互いに内側へ切り起こして形成された一対のサイドストッパー７０３を持つ。図１９に示されるように、この一対のサイドストッパー７０３上をイジェクトレバー２１Ａが摺動する。
【００８５】
このように、ロアカバー７０Ａに第１の盛り上がり部７０２と一対のサイドストッパー７０３を設け、イジェクトプレート２１Ａに第１の突起２１５を設けたので、衝撃等に起因する、イジェクトプレート２１Ａの撓りや変形等を防止することができる。
【００８６】
次に、図１６および図１７に加えて図２０および図２１を参照して、本実施の形態に係るイジェクト機構のスライドガイド構造部分について説明する。
【００８７】
前述したように、メインフレーム１３Ａにはフレームの前面部の構造がないので、スライドガイド１３６は、メインフレーム１３に２箇所しか設けることができない。したがって、足りない２箇所にイジェクト機構のスライドガイド構造部分を設ける必要がある。
【００８８】
図１６に示されるように、ロアカバー７０Ａの主表面７００は、その前面部の中央やや左側で上方に盛り上がった第２の盛り上がり部７０４を持つ。この第２の盛り上がり部７０４は、挿入方向Ａに延在するＬ字形の開口７０４ａを持つ。一方、図１７に示されるように、イジェクトプレート２１Ａは、その前端で下方に突出する第２の突起２１６を持つ。この第２の突起２１６は、図２０に示されるように、ロアカバー７０Ａの第２の盛り上がり部７０４に当接する肩２１６ａと、Ｌ字形の開口７０４ａに挿入されるＬ字形のフック部２１６ｂとを持つ。すなわち、第２の盛り上がり部７０４と第２の突起２１６との組合わせによって、１つのスライドガイド構造部分が構成されている。
【００８９】
また、図１７に示されるように、イジェクトプレート２１Ａは、その底面の右側前面部で挿入方向Ａに延在するＬ字形の開口２１７ａを持つ。一方、図１６に示されるように、ロアカバー７０Ａの主表面７００は、その右側前面部で上方に突出するように切り起こして形成された曲げ部７０５を持つ。この曲げ部７０５は、図２１にも示されるように、イジェクトプレート２１Ａの下面に当接する肩７０５ａと、Ｌ字形の開口２１７ａに挿入されるＬ字形のフック部７０５ｂとを持つ。すなわち、イジェクトプレート２１ＡのＬ字形の開口２１７ａと曲げ部７０５との組合せによって、もう１つのスライドガイド構造部分が構成されている。
【００９０】
このようにして、本実施の形態では、メインフレーム１３Ａとロアカバー７０Ａのサブフレームとの組み合わせによって１つのフレームとして機能を果たすようにしている。
【００９１】
本発明は上述した実施の形態に限定せず、本発明の趣旨を逸脱しない範囲内で種々の変更・変形が可能なのは勿論である。例えば、スライドガイド構造部分は、イジェクトプレートとロアカバーとに形成される、穴・曲げ形状の組合せで構成されるので、どちらか一方に穴形状を、他方に曲げ形状を形成することで自在に対応することができる。
【００９２】
【発明の効果】
以上の説明から明らかなように、本発明によれば、メインフレームは、高精度部品のみを搭載する寸法を持ち、フレームの前面部が削除された構造を有し、このメインフレームの下面を覆うロアカバーに、削除したフレームの前面部に相当する低精度部品を搭載するサブフレームとしての機能を持たせて、メインフレームとロアカバーのサブフレームとの組み合わせによって１つのフレームとしての機能を果たすようにしたので、材料費を削減でき、製品のコストダウン（ＶＥ化）を図ることができ、製品重量を削減することができるという効果を奏する。
【図面の簡単な説明】
【図１】従来のフレキシブルディスクドライブの要部を示す分解斜視図である。
【図２】図１に示したフレキシブルディスクドライブを斜め前方から見た概略斜視図である。
【図３】フレキシブルディスクドライブで駆動されるフレキシブルディスクを示す平面図である。
【図４】フレキシブルディスクドライブに使用されるトラック位置検出機構（００センサ）の設置構造を説明するための断面図である。
【図５】図１に示されたフレキシブルディスクドライブに使用されるＤＤモータ（スピンドルモータ）の構成を示す断面図である。
【図６】図１に示されたフレキシブルディスクドライブに使用されるメインフレームにメインプリント配線基板とサブプリント配線基板を取り付けた状態を側方下方から見た斜視図である。
【図７】図６に示されたサブプリント配線基板の溝にリード線を掛けた状態を示す図である。
【図８】図１に示されたフレキシブルディスクドライブに用いられるメインフレームの斜視図である。
【図９】図８に図示したメインフレームの下面（底面）を覆うロアカバー（下蓋）の斜視図である。
【図１０】図８に図示したメインフレームと図９に図示したロアカバーとを組み合わせた状態の斜視図である。
【図１１】図８に示したメインフレームを斜め前方上方から見た斜視図である。
【図１２】図８に示したメインフレームを斜め前方上方から見た斜視図である。
【図１３】本発明の一実施の形態に係るフレキシブルディスクドライブに用いられるメインフレームの斜視図である。
【図１４】図１３に図示したメインフレームの下面（底面）を覆うロアカバー（下蓋）の斜視図である。
【図１５】図１３に図示したメインフレームと図１４に図示したロアカバーとを組み合わせた状態の斜視図である。
【図１６】図１５の状態にさらにスピンドルモータ等を組付けた状態を斜め前方上方から見た斜視図である。
【図１７】図１３に示したメインフレーム上に摺動可能に保持されイジェクトプレートを斜め前方上方から見た斜視図である。
【図１８】図１４に図示するロアカバーに図１７に図示するイジェクトプレートを組付けた状態の要部を示す斜視図である。
【図１９】図１６の状態に更に図１７に図示したイジェクトプレートを組付けた状態の要部を示す斜視図である。
【図２０】図１６の状態に更に図１７に図示したイジェクトプレートを組付けた状態の要部を示す斜視図である。
【図２１】図１６の状態に更に図１７に図示したイジェクトプレートを組付けた状態の要部を示す斜視図である。
【符号の説明】
１３Ａ    メインフレーム
１４      磁気ヘッド
１５      キャリッジアセンブリ
１６      ステッピングモータ
２１Ａ    イジェクトプレート
２１５    突起
２１６    突起
２１６ａ    肩
２１６ｂ    Ｌ字形のフック部
４０      フレキシブルディスク
７０Ａ    ロアカバー
７００    主表面
７０１    側壁
７０２    盛り上がり部
７０３    サイドストッパー
７０４    盛り上がり部
７０４ａ    Ｌ字形の開口
７０５    曲げ部
７０５ａ    肩
７０５ｂ    Ｌ字形のフック部
３００    スピンドルモータ
【図１】
0004099641.tif 000002
【図２】
0004099641.tif 000003
【図３】
0004099641.tif 000004
【図４】
0004099641.tif 000005
【図５】
0004099641.tif 000006
【図６】
0004099641.tif 000007
【図７】
0004099641.tif 000008
【図８】
0004099641.tif 000009
【図９】
0004099641.tif 000010
【図１０】
0004099641.tif 000011
【図１１】
0004099641.tif 000012
【図１２】
0004099641.tif 000013
【図１３】
0004099641.tif 000014
【図１４】
0004099641.tif 000015
【図１５】
0004099641.tif 000016
【図１６】
0004099641.tif 000017
【図１７】
0004099641.tif 000018
【図１８】
0004099641.tif 000019
【図１９】
0004099641.tif 000020
【図２０】
0004099641.tif 000021
【図２１】
0004099641.tif 000022